(57)【要約】【課題】紙製素材で形成されると共に、収納されているディスクを収納ケースの外側から視認できるディスク収納ケースを提供する。【解決手段】表表紙１２と裏表紙１３とを背表紙１４を介して厚紙素材で一連に形成すると共に、これら表表紙１２と裏表紙１３との間に複数枚の紙葉１５を設けてブック式のケースを形成し、少なくとも一方の表紙は、外側部材３１と、ディスク収納部１８が形成された中間部材１９と、内側部材２０とを積層して形成し、該内側部材２０には、前記中間部材１９のディスク収納部１８に収納されたＣＤ２１を取り出す開口部２２を形成するためのミシン目２３、２３ａ、２３ｂ及び／又は折り目２７、２８が設けられているディスク収納ケース１１において、前記外側部材３１には、窓部３５が形成されると共に、該窓部３５には透明なシート材３６が張設されている。【選択図】      図３
2004323041.tif 000002
【特許請求の範囲】
【請求項１】
表表紙と裏表紙とを背表紙を介して厚紙素材で一連に形成すると共に、これら表表紙と裏表紙との間に複数枚の紙葉を設けてブック式のケースを形成し、
少なくとも一方の表紙は、外側部材と、ディスク収納部が形成された中間部材と、内側部材とを積層して形成し、
該内側部材には、前記中間部材のディスク収納部に収納されたディスクを取り出す開口部を形成するためのミシン目及び／又は折り目が設けられているディスク収納ケースにおいて、
前記外側部材には、窓部が形成されると共に、該窓部には透明なシート材が張設されていること
を特徴とするディスク収納ケース。
【請求項２】
表表紙と裏表紙とを背表紙を介して厚紙素材で一連に形成すると共に、これら表表紙と裏表紙との間に複数枚の紙葉を設けてブック式のケースを形成し、
少なくとも一方の表紙と前記紙葉との間には、外側部材と、ディスク収納部が形成された中間部材と、内側部材とを積層したディスク保持体を設け、
前記外側部材又は内側部材には、前記中間部材のディスク収納部に収納されたディスクを取り出す開口部を形成するためのミシン目及び／又は折り目が設けられているディスク収納ケースであって、
前記内側部材又は外側部材には、窓部が形成されると共に、該窓部には透明なシート材が張設されていること
を特徴とするディスク収納ケース。
【請求項３】
前記窓部は、収納されるディスクと略同形状又はやや小さめに形成されていることを特徴とする請求項１又は２に記載のディスク収納ケース。
【請求項４】
前記シート材は、ポリプロピレンで形成されていることを特徴とする請求項１又は２に記載のディスク収納ケース。
【請求項５】
ミシン目及び折り目によって開口部が形成され、その開口部を塞ぐことができる蓋部を開くことにより、その蓋部の一部が収納されているディスクに係合して持ち上げるようにしたことを特徴とする請求項１又は２に記載のディスク収納ケース。
【発明の詳細な説明】
【０００１】
【発明の属する技術分野】
本発明は、ディスク収納ケースに関するものであり、更に詳しくは、ＣＤ、ＣＤ−ＲＯＭ、ＤＶＤなどの情報記録媒体を収納する、ディスク収納ケースに関するものである。
【０００２】
【従来の技術】
従来、この種のディスク収納ケースとしては、次のような構成のものを本願出願人が特許出願している。
このディスク収納ケースは、表表紙と裏表紙とを背表紙を介して厚紙素材で一連に形成すると共に、これら表表紙と裏表紙との間に複数枚の紙葉を設けてブック式のケースを形成している。そして、一方の表紙は、その内側となる面にディスク収納部が形成された中間部材と、内側部材とを積層して形成しており、この内側部材には、前記中間部材のディスク収納部に収納されたディスクを取り出す開口部を形成するためのミシン目及び折り目が形成された構成である（特許文献１参照）。
【０００３】
このような構成のディスク収納ケースは、厚紙素材で形成されているので、ＣＤの表題やデザイン等を直接印刷することが可能であり、また、紙葉にＣＤの内容を説明したり歌詞や装飾などを表示することができるので、情報を表示する機能が拡大される。
また、このディスク収納ケースは紙製素材で形成されていることから、可燃ゴミとして廃棄することができるので、焼却処分が可能であり環境問題を生じさせない。
【０００４】
【特許文献１】
特開２０００−１４２８５９号公報（図１乃至図５）
【０００５】
【発明が解決しようとする課題】
この従来例のディスク収納ケースにおいては、ディスクを収納ケースから取り出さなくては、ディスクに記載されている表題、曲目、又はデザイン等を見ることができないという欠点を有している。つまり、収納されているディスクを収納ケースの外側から視認できないのである。
【０００６】
従って、従来例におけるディスク収納ケースにおいては、収納されているディスクを収納ケースから取り出さなくても、収納ケースの外側から、ディスクを視認できるようにすることに解決しなければならない課題を有している。
【０００７】
【課題を解決するための手段】
前記従来例の課題を解決する具体的手段として本発明は、表表紙と裏表紙とを背表紙を介して厚紙素材で一連に形成すると共に、これら表表紙と裏表紙との間に複数枚の紙葉を設けてブック式のケースを形成し、少なくとも一方の表紙は、外側部材と、ディスク収納部が形成された中間部材と、内側部材とを積層して形成し、該内側部材には、前記中間部材のディスク収納部に収納されたディスクを取り出す開口部を形成するためのミシン目及び／又は折り目が設けられているディスク収納ケースにおいて、前記外側部材には、窓部が形成されると共に、該窓部には透明なシート材が張設されていることを特徴とするディスク収納ケースを提供するものである。
【０００８】
また、本発明は、表表紙と裏表紙とを背表紙を介して厚紙素材で一連に形成すると共に、これら表表紙と裏表紙との間に複数枚の紙葉を設けてブック式のケースを形成し、少なくとも一方の表紙と前記紙葉との間には、外側部材と、ディスク収納部が形成された中間部材と、内側部材とを積層したディスク保持体を設け、前記外側部材又は内側部材には、前記中間部材のディスク収納部に収納されたディスクを取り出す開口部を形成するためのミシン目及び／又は折り目が設けられているディスク収納ケースであって、前記内側部材又は外側部材には、窓部が形成されると共に、該窓部には透明なシート材が張設されていることを特徴とするディスク収納ケースを提供するものである。
【０００９】
そして、前記窓部は、収納されるディスクと略同形状又はやや小さめに形成されている構成としたものであり、また、前記シート材は、ポリプロピレンで形成されている構成としたものであり、更に、ミシン目及び折り目によって開口部が形成され、その開口部を塞ぐことができる蓋部を開くことにより、その蓋部の一部が収納されているディスクに係合して持ち上げるようにした構成としたものである。
【００１０】
本発明に係るディスク収納ケースにおいては、外側部材又は内側部材に窓部が形成されると共に、この窓部には透明なシート材が張設されているので、収納されたディスクをケースの外側から視認できることとなる。
【００１１】
【発明の実施の形態】
次に、本発明の実施の形態について図面を参照しながら説明する。まず、図１に示した第１実施例において、符号１１はディスク収納ケースを示し、このディスク収納ケース１１は、表表紙１２と裏表紙１３とを背表紙１４を介して厚紙素材で一連に形成すると共に、これら表表紙１２と裏表紙１３との間に複数枚の紙葉１５を設けてブック式のケースを形成している。
【００１２】
表表紙１２は、略正方形状又は長方形状に形成されており、その一端側がヒンジ部１６を介して背表紙１４と一連に形成され、また、背表紙１４は、ヒンジ部１７を介して裏表紙１３と一連に形成されている。即ち、表表紙１２と裏表紙１３とは、ヒンジ部１６、１７を介して背表紙１４に各々折り曲がり自在に一連に形成されているのである。更に、裏表紙１３（又は表表紙１２）の基部側には、見返し４６の基部側４６ａが約１〜２ｃｍの幅で貼着した状態に設けられている。
【００１３】
また、裏表紙１３（又は表表紙１２）は、図３に示すように、略正方形状又は長方形状の外側部材３１と、ディスク収納部１８が形成された中間部材１９と、略正方形状又は長方形状の内側部材２０とを積層状態に接着して形成している。即ち、裏表紙１３は、ディスク収納部１８の中にＣＤ２１が収納可能な状態で、中間部材１９を中央にして外側部材３１と内側部材２０とを積層しているのである（図２参照）。
この場合のディスク収納部１８は、図示したように略円形であってもよく、また多角形状であってもよい。要するにＣＤ２１等の被収納物品が収納できるスペースが形成されていればよいのである。
【００１４】
内側部材２０には、ディスク収納部１８内に収納されているＣＤ２１を取り出す開口部２２（図５参照）を形成するためのミシン目及び折り目が設けられている。即ち、内側部材２０は、図４に示すように、ミシン目２３、２３ａ、２３ｂが設けられており、このミシン目２３、２３ａ、２３ｂに囲まれた領域が開口部２２を形成する領域であると同時に、該開口部２２を施蓋することができるように、そのミシン目で切り離した部分が蓋部２４を形成するのである。
【００１５】
また、ミシン目２３の中央位置には、略半円状のミシン目２５と折り目３２とが形成されており、このミシン目２５と折り目３２とで囲繞する部分が、指で摘んで蓋部２４を持ち上げるための摘み部２６となる。そして、ミシン目２５の略中央位置には、指を差し入れて摘み部２６を摘むための切欠部３４が形成されている。更に、折り目３２の略中央位置には、舌片状の切れ目３３が形成されており、この切れ目３３に囲繞される舌片部はＣＤ２１の中央孔に差し込んで、ＣＤ２１を保持する（図示せず）。
【００１６】
前記ミシン目２３ｂ、２３ｂの一端側には、折り目２７、２７が形成されていると共に、この折り目２７、２７にやや離れた平行位置には、折り目２８、２８が形成されている。
【００１７】
また、折り目２７、２７の端部に連接して切れ目２９が形成されており、この切れ目２９が、後述するＣＤ２１の底面に係合して持ち上げるための持上部３０を形成することとなる。
【００１８】
外側部材３１には、図３及び図６に示すように、前記ディスク収納部１８と略対応する位置に円形の窓部３５が形成されている。また、窓部３５には、透明なシート材３６が張設されている。即ち、シート材３６は、外側部材３１の内側に接着等の手段で全面的に貼り付けられていると共に、中間部材１９と積層状態に貼り付けられている。
【００１９】
このように、外側部材３１に窓部３５が形成されることから、図６に示すように、収納されたＣＤ２１をディスク収納ケース１１の外側から視認できる。
また、窓部３５は、収納されるＣＤ２１と略同形状又はやや小さめに形成されることが望ましく、例えば、直径が約１２０ｍｍのＣＤを収納する場合は、窓部３５の直径を約１００〜１１０ｍｍ程度に形成することが望ましい。このように形成すれば、ＣＤ２１を安定した状態で収納できると共に、ディスク収納部１８内にＣＤ２１が入っているか又はカラであるかを一目で判別できる。
なお、窓部３５の形状は、必ずしも円形に限定されることはなく、多角形、ハート型、楕円形、又は菱形等の意匠的に好適なさまざまな形状に形成してもよい。
更に、透明なシート材３６は、合成樹脂製フィルム等が用いられ、特に、ポリプロピレンであることか好ましい。この場合、廃棄して焼却処分した時に有毒なガスが発生しないのである。
【００２０】
紙葉１５は、表表紙１２及び裏表紙１３よりもやや小さめの略正方形状又は長方形状に形成されており、複数枚の紙葉１５を重ね合わせて背表紙１４の内側に逢着されている。この紙葉は、ＣＤ２１の内容説明や歌詞或いは装飾などの情報が表示されると共に、メモ書きができる欄が設けてある。
【００２１】
次に、ディスク収納部１８内に収納されているＣＤ２１の取り出し方法について説明する。まず、裏表紙１３を開いて内側部材２０のミシン目２３、２３ａ、２３ｂを指で押圧して切断し、ミシン目２５を切断して摘み部２６を摘んで折り目３２を折り曲げる。
【００２２】
そして、蓋部２４を図５の矢印方向に開くと共に折り目２７、２８を折り曲げる。蓋部２４を矢印方向に傾けるにつれて持上部３０が折り目２７、２８を中心にしてＣＤ２１方向に移動し、更に持上部３０がＣＤ２１の底面に係合し、蓋部２４の傾きと共に持上部３０がＣＤ２１の端部を持ち上げて、ＣＤ２１の取り出しを容易にするのである（図５参照）。
【００２３】
次に、図７及び図８に第２実施例を示す。この第２実施例において、前記第１実施例と同一部分には同一符号を付してその詳細は省略する。このディスク収納ケース４１は、表表紙１２と裏表紙１３とを背表紙１４を介して厚紙素材で一連に形成すると共に、これら表表紙１２と裏表紙１３との間に複数枚の紙葉１５を設けてブック式のケースを形成している。
【００２４】
裏表紙１３と紙葉１５との間には、ディスク保持体４５が設けられている。このディスク保持体４５は、板状の外側部材４２と、ディスク収納部１８が形成された中間部材４３と、板状の内側部材４４とを積層状態に接着して形成されている。
【００２５】
外側部材４２には、ディスク収納部１８内に収納されているＣＤ２１を取り出す開口部２２（図５と同様）を形成するためのミシン目及び折り目が設けられている。即ち、内側部材２０は、図９に示すように、ミシン目２３、２３ａ、２３ｂが設けられており、このミシン目２３、２３ａ、２３ｂに囲まれた領域が開口部２２を形成する領域であると同時に、該開口部２２を施蓋することができるように、そのミシン目で切り離した部分が蓋部２４を形成するのである（図５及び図９参照）。
【００２６】
中間部材４３には、ディスク収納部１８が形成されており、このディスク収納部１８は、略円形であってもよく、また多角形状であってもよい。要するにＣＤ２１等の被収納物品が収納できるスペースが形成されていればよいのである。
【００２７】
内側部材４４には、図８及び図９に示すように、前記ディスク収納部１８と略対応する位置に円形の窓部３５が形成されている。また、窓部３５には、透明なシート材３６が張設されている。即ち、シート材３６は、外側部材３１の内側に接着等の手段で全面的に貼り付けられていると共に、中間部材１９と積層状態に貼り付けられている。
【００２８】
このように、裏表紙１３と紙葉１５との間には、ディスク保持体４５が設けられており、このディスク保持体４５の内側部材４４には窓部３５が形成されていることから、収納されたＣＤ２１をディスク保持体４５から取り出さなくても、ディスクに記載されている表題、曲目、又はデザイン等を見ることができる。
【００２９】
【発明の効果】
以上説明したように本発明に係るディスク収納ケースは、表表紙と裏表紙とを背表紙を介して厚紙素材で一連に形成すると共に、これら表表紙と裏表紙との間に複数枚の紙葉を設けてブック式のケースを形成し、少なくとも一方の表紙は、外側部材と、ディスク収納部が形成された中間部材と、内側部材とを積層して形成し、該内側部材には、前記中間部材のディスク収納部に収納されたディスクを取り出す開口部を形成するためのミシン目及び／又は折り目が設けられているディスク収納ケースにおいて、前記外側部材には、窓部が形成されると共に、該窓部には透明なシート材が張設されていることによって、収納されたディスクをケースの外側から視認できる。従って、ディスクを収納ケースから取り出さなくても、ディスクに記載されている表題、曲目、又はデザイン等を見ることができるという優れた効果を奏する。
【００３０】
また、本発明に係るディスク収納ケースは、表表紙と裏表紙とを背表紙を介して厚紙素材で一連に形成すると共に、これら表表紙と裏表紙との間に複数枚の紙葉を設けてブック式のケースを形成し、少なくとも一方の表紙と前記紙葉との間には、外側部材と、ディスク収納部が形成された中間部材と、内側部材とを積層したディスク保持体を設け、前記外側部材又は内側部材には、前記中間部材のディスク収納部に収納されたディスクを取り出す開口部を形成するためのミシン目及び／又は折り目が設けられているディスク収納ケースであって、前記内側部材又は外側部材には、窓部が形成されると共に、該窓部には透明なシート材が張設されていることによって、ディスクをディスク保持体から取り出さなくても、ディスクに記載されている表題、曲目、又はデザイン等を見ることができるという優れた効果を奏する。
【００３１】
そして、窓部は、収納されるディスクと略同形状又はやや小さめに形成されていることによって、ディスクが安定した状態で収納できる。また、収納ケース内にディスクが入っているか又はカラであるかが一目で判別できるという種々の優れた効果を奏する。
【００３２】
また、シート材は、ポリプロピレンで形成されていることによって、焼却した時に有毒なガスが発生しないので、可燃ゴミとして廃棄することができる。従って、焼却処分が可能であり環境問題を生じさせないという優れた効果を奏する。
【００３３】
更に、ミシン目及び折り目によって開口部が形成され、その開口部を塞ぐことができる蓋部を開くことにより、その蓋部の一部が収納されているディスクに係合して持ち上げるようにしたことによって、ディスクの取り出しが容易で便利であるという優れた効果を奏する。
【図面の簡単な説明】
【図１】本発明の第１実施例に係るディスク収納ケースの斜視図である。
【図２】図１のＡ−Ａ線断面図である。
【図３】表紙を分離して示した斜視図である。
【図４】表紙の内側を示す平面図である。
【図５】表紙の蓋部を開いた状態を示す斜視図である。
【図６】ディスク収納ケース裏表紙側の斜視図である。
【図７】本発明の第２実施例に係るディスク収納ケースの斜視図である。
【図８】本発明の第２実施例に係るディスク収納ケースの斜視図である。
【図９】ディスク保持体を分離して示した斜視図である。
【符号の説明】
１１  ディスク収納ケース
１２  表表紙
１３  裏表紙
１４  背表紙
１５  紙葉
１６  ヒンジ部
１７  ヒンジ部
１８  ディスク収納部
１９  中間部材
２０  内側部材
２１  ＣＤ
２２  開口部
２３  ミシン目
２３ａミシン目
２３ｂミシン目
２４  蓋部
２５  ミシン目
２６  摘み部
２７  折り目
２８  折り目
２９  切れ目
３０  持上部
３１  外側部材
３２  折り目
３３  切れ目
３４  切欠部
３５  窓部
３６  シート材
４１  ディスク収納ケース
４２  外側部材
４３  中間部材
４４  内側部材
４５  ディスク保持体
４６  見返し
４６ａ基部側
【図１】
2004323041.tif 000003
【図２】
2004323041.tif 000004
【図３】
2004323041.tif 000005
【図４】
2004323041.tif 000006
【図５】
2004323041.tif 000007
【図６】
2004323041.tif 000008
【図７】
2004323041.tif 000009
【図８】
2004323041.tif 000010
【図９】
2004323041.tif 000011